(57)【要約】【課題】  ドラムの外周面上の記録材料からごみ等を取り除くことができる描画装置を提供することである。【解決手段】  クランプ駆動装置５には、スクイジー装置５３および第２駆動装置６２が設けられている。スクイジー装置５３により刷版１００を記録ドラム１の外周面に均一に密着させることができるとともに、刷版１００の表面に付着したごみ等をスクイジーローラ５８を介して粘着ローラ５７に転写することができる。しかも、スクイジーローラ５８が記録ドラム１の外周面から離間しているときには、スクイジーローラ５８が粘着ローラ５７からも離間しているので、粘着ローラ５７に転写されたごみ等がスクイジーローラ５８に再び転写されることが防止される。【選択図】        図１４
2005126244.tif 000002
【特許請求の範囲】
【請求項１】
回転軸を有し、外周面上にシート状の記録材料が装着される円筒状のドラムと、
前記ドラムを前記回転軸の周りに回転させる回転駆動手段と、
前記ドラムの外周面に設けられ、記録材料を前記ドラムの外周面上に固定する固定部材と、
前記ドラムの外周面上に固定された記録材料に対して画像描画を行う描画手段と、
前記ドラムの回転軸と平行に前記ドラムの外周面に沿って配置された第１のローラと、
前記第１のローラに沿って配置された第２のローラと、
前記第１のローラを前記ドラムの外周面および前記第２のローラから離間した位置と前記ドラムの外周面および前記第２のローラに接触する位置とに移動させるローラ移動手段とを備えたことを特徴とする描画装置。
【請求項２】
回転軸を有し、外周面上にシート状の記録材料が装着される円筒状のドラムと、
前記ドラムを前記回転軸の周りに回転させる回転駆動手段と、
前記ドラムの外周面に設けられ、記録材料を前記ドラムの外周面に固定する固定部材と、
前記ドラムの外周面上に固定された記録材料に対して画像描画を行う描画手段と、
前記記録材料を前記ドラム表面に固定する際に、前記ドラムの外周面上の記録材料に圧着するスクイジーローラと、
前記記録材料を圧着するときの前記スクイジーローラと接触していて、かつ当該スクイジーローラのごみが転写される粘着ローラとを有する描画装置。
【請求項３】
回転軸を有し、外周面上にシート状の記録材料が装着される円筒状のドラムと、
前記ドラムを前記回転軸の周りに回転させる回転駆動手段と、
前記ドラムの外周面に設けられ、記録材料を前記ドラムの外周面に固定する固定部材と、
前記ドラムの外周面上に固定された記録材料に対して画像描画を行う描画手段と、
前記記録材料を前記ドラム表面から搬出する際に、前記ドラムの外周面上の記録材料に圧着するスクイジーローラと、
前記記録材料を圧着するときの前記スクイジーローラと接触していて、かつ当該スクイジーローラのごみが転写される粘着ローラとを有する描画装置。
【発明の詳細な説明】
【技術分野】
【０００１】
本発明は、シート状の記録材料をドラムの外周面に固定し、該記録材料に描画を行う描画装置に関する。
【背景技術】
【０００２】
種々の感光材料に光を照射して描画を行うために描画装置が用いられている。ドラム型の描画装置では、主走査方向に回転可能な記録ドラム上に感光材料が装着され、レーザダイオード等を備えた記録ヘッドが記録ドラムの回転軸と平行な副走査方向に移動して感光材料に描画を行う。
【０００３】
図２１は従来の描画装置の記録ドラムの概略斜視図である。図２１の記録ドラム１５０には、感光材料としてアルミニウム製の刷版１６０が装着される。記録ドラム１５０の外周面には、刷版１６０の一端を固定する先端クランプ１７０と、刷版１６０の他端を固定する後端クランプ１８０とが取り付けられている。後端クランプ１８０は磁石を内蔵し、刷版１６０の大きさに応じた記録ドラム１５０の外周面位置に磁力により固定されている。
【０００４】
刷版１６０が取り付けられた記録ドラム１５０は、回転軸１９０を中心として比較的低速で回転駆動され、刷版１６０の表面に描画が行われる。
【発明の開示】
【発明が解決しようとする課題】
【０００５】
このような描画装置では、記録ドラム１５０の外周面上の刷版１６０へごみ等が付着することがある。
【０００６】
本発明の目的は、ドラムの外周面上の記録材料からごみ等を取り除くことができる描画装置を提供することである。
【課題を解決するための手段】
【０００７】
（１）第１の発明
第１の発明に係る描画装置は、回転軸を有し、外周面上にシート状の記録材料が装着される円筒状のドラムと、ドラムを回転軸の周りに回転させる回転駆動手段と、ドラムの外周面に設けられ、記録材料をドラムの外周面上に固定する固定部材と、ドラムの外周面上に固定された記録材料に対して画像描画を行う描画手段と、ドラムの回転軸と平行にドラムの外周面に沿って配置された第１のローラと、第１のローラに沿って配置された第２のローラと、第１のローラをドラムの外周面および第２のローラから離間した位置とドラムの外周面および第２のローラに接触する位置とに移動させるローラ移動手段とを備えたものである。
【０００８】
本発明に係る描画装置においては、円筒状のドラムの外周面上にシート状の記録材料が固定部材により固定される。この状態で、記録材料が固定されたドラムを回転駆動手段により回転軸の周りに回転させることができる。
【０００９】
ローラ移動手段により第１のローラをドラムの外周面および第２のローラに接触する位置に移動させると、第１のローラがドラムの外周面上に固定された記録材料を均一に押圧する。それにより、ドラムの外周面上の記録材料がドラムの外周面に均一に密着する。
【００１０】
また、ドラムの外周面上の記録材料の表面に付着するごみ等が第１のローラに転写され、第１のローラに転写されたごみ等がさらに第２のローラに転写される。これにより、ドラムの外周面上の記録材料からごみ等を取り除くことができる。
【００１１】
ローラ移動手段により第１のローラをドラムの外周面および第２のローラから離間した位置に移動させると、ドラムの外周面上の記録材料が第１のローラから解放される。このとき、第１のローラは第２のローラからも離間しているので、第２のローラに転写されたごみ等が第１のローラに再び転写されることがない。
【００１２】
（２）第２の発明
第２の発明に係る描画装置は、回転軸を有し、外周面上にシート状の記録材料が装着される円筒状のドラムと、ドラムを回転軸の周りに回転させる回転駆動手段と、ドラムの外周面に設けられ、記録材料をドラムの外周面に固定する固定部材と、ドラムの外周面上に固定された記録材料に対して画像描画を行う描画手段と、記録材料をドラム表面に固定する際に、ドラムの外周面上の記録材料に圧着するスクイジーローラと、記録材料を圧着するときのスクイジーローラと接触していて、かつ当該スクイジーローラのごみが転写される粘着ローラとを有するものである。
【００１３】
本発明に係る描画装置においては、円筒状のドラムの外周面上にシート状の記録材料が装着され、固定部材によりドラムの外周面に固定される。回転駆動手段によりドラムが回転軸の周りに回転し、ドラムの外周面上に固定された記録材料に対して描画手段により画像描画が行われる。記録材料をドラム表面に固定する際に、ドラムの外周面上の記録材料にスクイジーローラが圧着される。粘着ローラは、記録材料を圧着するときのスクイジーローラと接触しており、当該スクイジーローラのごみが粘着ローラに転写される。
【００１４】
（３）第３の発明
第３の発明に係る描画装置は、回転軸を有し、外周面上にシート状の記録材料が装着される円筒状のドラムと、ドラムを回転軸の周りに回転させる回転駆動手段と、ドラムの外周面に設けられ、記録材料をドラムの外周面に固定する固定部材と、ドラムの外周面上に固定された記録材料に対して画像描画を行う描画手段と、記録材料をドラム表面から搬出する際に、ドラムの外周面上の記録材料に圧着するスクイジーローラと、記録材料を圧着するときのスクイジーローラと接触していて、かつ当該スクイジーローラのごみが転写される粘着ローラとを有するものである。
【００１５】
本発明に係る描画装置においては、円筒状のドラムの外周面上にシート状の記録材料が装着され、固定部材によりドラムの外周面に固定される。回転駆動手段によりドラムが回転軸の周りに回転し、ドラムの外周面上に固定された記録材料に対して描画手段により画像描画が行われる。記録材料をドラム表面から搬出する際に、ドラムの外周面上の記録材料にスクイジーローラが圧着される。粘着ローラは、記録材料を圧着するときのスクイジーローラと接触しており、当該スクイジーローラのごみが粘着ローラに転写される。
【発明の効果】
【００１６】
本発明によれば、ドラムの外周面上の記録材料からごみ等を取り除くことができる描画装置を提供することができる。
【発明を実施するための最良の形態】
【００１７】
図１は本発明の一実施例における描画装置の概略平面図であり、図２は図１の描画装置の概略側面図である。
【００１８】
図１および図２において、描画装置は、円筒状の記録ドラム１を備える。記録ドラム１は、回転駆動装置４により回転軸１ａの周りで矢印Ａの方向（主走査方向）に回転駆動される。記録ドラム１の外周面には、感光材料としてアルミニウム製の刷版１００が装着される。刷版１００の一端は複数の先端クランプ２により記録ドラム１の外周面に固定され、刷版１００の他端は複数の後端クランプ３により記録ドラム１の外周面に固定されている。
【００１９】
記録ドラム１の前方側には、複数のレーザダイオード８１を備えた記録ヘッド８が配設されている。記録ヘッド８は、ガイド８２に移動可能に取り付けられ、記録ドラム１の回転に同期して矢印Ｂの方向（副走査方向）へ移動する。
【００２０】
記録ヘッド８の複数のレーザダイオード８１は、レーザダイオード駆動回路部１１０により駆動される。レーザダイオード駆動回路部１１０は、記録ヘッド８の複数のレーザダイオード８１に対応して複数のレーザダイオード駆動回路１１１を含む。
【００２１】
画像信号発生回路１３０は、シリアルな画像信号を発生する。シリアル／パラレル変換器１２０は、画像信号発生回路１３０により発生されたシリアルな画像信号をパラレルな画像信号に変換し、それらの画像信号をレーザダイオード駆動回路部１１０の複数のレーザダイオード駆動回路１１１にそれぞれ与える。これにより、記録ヘッド８の各レーザダイオード８１が対応するレーザダイオード駆動回路１１１により駆動され、レーザ光を刷版１００に照射する。
【００２２】
図２に示すように、記録ドラム１の後方側には、クランプ駆動装置５が設けられている。クランプ駆動装置５は、記録ドラム１上への後端クランプ３の取り付け、記録ドラム１からの後端クランプ３の取り外し、および記録ドラム１上の先端クランプ２の解除を行うために用いられる。
【００２３】
クランプ駆動装置５は、矢印Ｃの方向に揺動可能な１対のクランプアーム６を備える。１対のクランプアーム６間には、駆動バー６０が取り付けられ、駆動バー６０に複数の第１駆動装置７が取り付けられている。図１に示すように、第１駆動装置７には、駆動ピン７５、２つの保持ピン７６および解除ピン７８が設けられている。
【００２４】
また、図２に示すように、記録ドラム１の上方には、搬送ユニット９が矢印Ｒの方向に揺動可能に配設されている。搬送ユニット９は、刷版搬入用の第１の搬送路９１および刷版搬出用の第２の搬送路９２を有する。刷版１００の搬入時には、搬送ユニット９の第１の搬送路９１を通して刷版１００を記録ドラム１上に供給する。また、刷版１００の搬出時には、記録ドラム１から取り外された刷版１００を搬送ユニット９の第２の搬送路９２を通して外部に搬出する。
【００２５】
搬送ユニット９の先端側には、刷版１００に位置決め孔を開けるためのパンチ装置１０が配設されている。刷版１００は、記録ドラム１上への供給前に、搬送ユニット９の第１の搬送路９１を通してパンチ装置１０に供給され、刷版１００の周縁部に位置決め孔が形成される。刷版１００の位置決め孔は、記録ドラム１の外周面に設けられた位置決めピン（図示せず）に係合する。
【００２６】
図３は図１の描画装置における記録ドラム１の斜視図である。図３に示すように、記録ドラム１の外周面には、円周方向に延びる複数のクランプ溝１１が形成されている。記録ドラム１の外周面上には、複数の先端クランプ２および複数の後端クランプ３が設けられている。
【００２７】
複数の先端クランプ２は、記録ドラム１の軸方向に沿って配列され、記録ドラム１の外周面に固定されている。複数の後端クランプ３は、記録ドラム１の軸方向に沿って配列され、それぞれクランプ溝１１に沿って円周方向に移動可能に記録ドラム１の外周面に取り付けられている。
【００２８】
図４は先端クランプ２の分解斜視図、図５は先端クランプ２の側面図である。  図４および図５において、先端クランプ２は、クランプ本体２０、回転軸２１、２つの軸受け２２、４つのボルト２３、２つの金属ボール２４、２つのスプリング２５および複数の押さえゴム２６により構成される。
【００２９】
軸受け２２は、ボルト２３により記録ドラム１に固定される。クランプ本体２０は、回転軸２１により回動自在に軸受け２２に取り付けられる。クランプ本体２０の一方の側部２０ａの下面には押さえゴム２６が装着されている。図５に示すように、クランプ本体２０の他方の側部２０ｂの下方における記録ドラム１には凹部１２が形成されている。クランプ本体２０の他方の側部２０ｂの下面と記録ドラム１の凹部１２との間にスプリング２５が装着され、スプリング２５内に金属ボール２４が挿入されている。
【００３０】
なお、クランプ本体２０の一方の側部２０ａの下面には押さえゴム２６を装着する代わりにセラミック塗装を施してもよい。これにより摩擦力の減少無しに耐久性が改善する。
【００３１】
スプリング２５の反力により、クランプ本体２０の他方の側部２０ｂが矢印Ｐ１で示すように回転軸２１を中心として記録ドラム１から離れる方向に付勢される。それにより、クランプ本体２０の一方の側部２０ａが矢印Ｐ２で示すように記録ドラム１に近づく方向の力が働き、記録ドラム１上の刷版１００の一端が押さえゴム２６により押圧される。
【００３２】
回転軸２１を基準とするクランプ本体２０の一方の側部２０ａの長さＬ１は、クランプ本体２０の他方の側部２０ｂの長さＬ２よりも短く設定されている。
【００３３】
記録ドラム１の回転時には、金属ボール２４が遠心力により矢印Ｐ１の方向に移動し、クランプ本体２０の他方の側部２０ｂを記録ドラム１から離れる方向に押し上げる。また、クランプ本体２０の一方の側部２０ａおよび他方の側部２０ｂにそれぞれ遠心力が働く。クランプ本体２０の一方の側部２０ａの長さＬ１がクランプ本体２０の他方の側部２０ｂの長さよりも短く設定されているので、回転軸２１を中心とするクランプ本体２０の一方の側部２０ａによる回転モーメントが他方の側部２０ｂによる回転モーメントよりも小さくなる。それにより、クランプ本体２０の他方の側部２０ｂを記録ドラム１の外周面から離す方向の力が作用し、クランプ本体２０の一方の側部２０ａの押さえゴム２６により刷版１００の一端が記録ドラム１の外周面に強固に押圧される。
【００３４】
記録ドラム１の回転速度が高くなるほどクランプ本体２０の他方の側部２０ｂに作用する力が大きくなり、クランプ本体２０の一方の側部２０ａの押さえゴム２６が刷版１００の一端を記録ドラム１の外周面に押圧する力が大きくなる。したがって、記録ドラム１の高速回転時にも、先端クランプ２０により刷版１００の一端が記録ドラム１００の外周面に確実に固定され、記録ドラム１の外周面上の刷版１００の位置ずれや外れが生じない。
【００３５】
図６は後端クランプ３の分解斜視図、図７は後端クランプ３の長手方向の一部断面図、図８は後端クランプ３の幅方向の断面図である。
【００３６】
図６〜図８に示すように、後端クランプ３は、クランプ本体３０、クランプボルト連結板３１、係合部材３２、２つの第１クランプボルト３３、２つの第２クランプボルト３４、２つのねじ３５、２つの板ばね３６、および４つのスプリング３７により構成される。
【００３７】
クランプ本体３０の中央部には矩形の凹部３８が設けられ、凹部３８の両側にそれぞれ矩形の凹部３９が設けられている。クランプ本体３０の両端部近傍には、それぞれ保持孔４０が設けられている。保持孔４０は円形部分と幅狭部分とからなる。保持孔４０には、後述する第１駆動装置７の保持ピン７６がそれぞれ挿入される。
【００３８】
クランプボルト連結板３１は、凹部３８，３９の側面を貫通して３つの凹部３８，３９内で矢印Ｓの方向に摺動自在に設けられている。係合部材３２は凹部３８内でクランプボルト連結板３１に固定されている。係合部材３２の係合孔３２ａには、第１駆動装置７の駆動ピン７５が係合する。クランプボルト連結板３１の両端部近傍には、長孔３１ａがそれぞれ形成されている。
【００３９】
第２クランプボルト３４の外周面には両側方に突出する突出部３４ａが設けられている。第２クランプボルト３４は、クランプ本体３０の凹部３９の底面に設けられた孔３９ａに挿入される。第２クランプボルト３４の頭部には、ねじ３５により第１クランプボルト３３が取り付けられる。第１クランプボルト３３の下面には突起３３ａが設けられている。第１クランプボルト３３の突起３３ａはクランプボルト連結板３１の長孔３１ａに係合する。それにより、係合部材３２を矢印Ｓの方向にスライドすると、係合部材３２とともにクランプボルト連結板３１が矢印Ｓの方向に摺動し、第１クランプボルト３３が第２クランプボルト３４とともに矢印Ｑの方向に回動する。
【００４０】
図７に示すように、記録ドラム１に形成されたクランプ溝１１の両側面の上端に、内側に突出する内側縁部１３が設けられている。図７（ａ）に示すように、第２クランプボルト３４の突出部３４ａがクランプ溝１１と平行に位置する場合には、突出部３４ａがクランプ溝１１の内側縁部１３に係合しない。この場合、後端クランプ３を記録ドラム１から取り外すことができる。
【００４１】
一方、図７（ｂ）に示すように、第２クランプボルト３４の突出部３４ａが記録ドラム１のクランプ溝１１と垂直に位置する場合には、突出部３４ａがクランプ溝１１の内側縁部１３に係合する。それにより、後端クランプ３が記録ドラム１に固定される。
【００４２】
図８に示すように、クランプ本体３０の一方の側部３０ａの下面と記録ドラム１の外周面との間に刷版１００の他端が挟まれる。クランプ本体３０の他方の側部３０ｂには鉛板４２が埋設されている。また、クランプ本体３０の他方の側部３０ｂの下面には板ばね３６およびスプリング３７が装着されている。
【００４３】
板ばね３６およびスプリング３７の反力により、クランプ本体３０の他方の側部３０ｂが矢印Ｙ１で示すように第２クランプボルト３４を中心として記録ドラム１から離れる方向に付勢される。それにより、クランプ本体３０の一方の側部３０ａが矢印Ｙ２で示すように記録ドラム１に近づく方向の力が働き、記録ドラム１上の刷版１００の一端がクランプ本体３０の一方の側部３０ａの下面で押圧される。
【００４４】
第２クランプボルト３４を基準とするクランプ本体の一方の側部３０ａの長さＬ３は、クランプ本体３０の他方の側部３０ｂの長さＬ４よりも短く設定されている。
【００４５】
記録ドラム１の回転時には、クランプ本体３０の他方の側部３０ｂの下面に埋設された鉛板４２に矢印Ｙ１で示す方向に遠心力が働く。また、クランプ本体３０の一方の側部３０ａおよび他方の側部３０ｂにそれぞれ遠心力が働く。クランプ本体３０の一方の側部３０ａの長さＬ３がクランプ本体３０の他方の側部３０ｂの長さＬ４よりも短く設定されているので、第２クランプボルト３４を中心とするクランプ本体３０の一方の側部３０ａによる回転モーメントが他方の側部３０ｂによる回転モーメントよりも小さくなる。それにより、クランプ本体３０の他方の側部３０ｂを記録ドラム１の外周面から離す方向の力が作用し、クランプ本体３０の一方の側部３０ａにより刷版１００の他端が記録ドラム１の外周面に強固に押圧される。
【００４６】
記録ドラム１の回転速度が高くなるほどクランプ本体３０の他方の側部３０ｂに作用する力が大きくなり、クランプ本体３０の一方の側部３０ａが刷版１００の他端を記録ドラム１の外周面に押圧する力が強くなる。したがって、記録ドラム１の高速回転時にも、後端クランプ３により刷版１００の他端が記録ドラム１の外周面に確実に固定され、記録ドラム１の外周面上の刷版１００の位置ずれや外れが生じない。
【００４７】
図９（ａ）は第１駆動装置７に後端クランプ３を保持する前の状態の断面図、図９（ｂ）は後端クランプ３の平面図である。また、図１０（ａ）は第１駆動装置７に後端クランプ３を保持した状態の断面図、図１０（ｂ）は後端クランプ３の平面図である。
【００４８】
図９に示すように、第１駆動装置７は、駆動装置本体７０、クランプボルト駆動モータ７１、駆動部材７２および位置センサ７３により構成される。クランプボルト駆動モータ７１にはギア７４が取り付けられている。駆動部材７２の側面にはギア７４に噛み合う平面ギア７２ａが設けられている。駆動部材７２は、クランプボルト駆動モータ７１の回転により矢印Ｕの方向にスライド可能に設けられている。また、駆動部材７２の下面の中央部には駆動ピン７５が設けられ、駆動部材７２の下面の両端部近傍には保持ピン７６が設けられている。位置センサ７３は、駆動部材７２の位置を検出する。
【００４９】
図９の状態で、第１駆動装置７が後端クランプ３に接近すると、駆動ピン７５が後端クランプ３の係合部材３２の係合孔３２ａに挿入されるとともに、保持ピン７６が後端クランプ３の保持孔４０の円形部分に挿入される。
【００５０】
その後、クランプボルト駆動モータ７１が回転すると、図１０に示すように、駆動部材７２が矢印Ｕ１の方向に移動し、駆動ピン７５に係合する係合部材３２がクランプボルト連結板３１とともに矢印Ｕ１の方向にスライドする。それにより、第１クランプボルト３３が第２クランプボルト３４とともに回動する。また、保持ピン７６が後端クランプ３の保持孔４０の幅狭部分に移動する。それにより、後端クランプ３が第１駆動装置７に保持されるとともに、図７（ａ）に示したように、第２クランプボルト３４の突出部３４ａが記録ドラム１のクランプ溝１１と平行な状態になる。この状態で後端クランプ３の第２クランプボルト３４を記録ドラム１のクランプ溝１１に挿入することができる。
【００５１】
次いで、クランプボルト駆動モータ７１が逆方向に回転すると、駆動ピン７５に係合する係合部材３２がクランプボルト連結板３１とともに矢印Ｕ１と逆の方向にスライドし、第１クランプボルト３３が第２クランプボルト３４とともに逆方向に回動する。また、保持ピン７６が後端クランプ３の保持孔４０の円形部分に移動する。これにより、図７（ｂ）に示したように、第２クランプボルト３４の突出部３４ａが記録ドラム１のクランプ溝１１と垂直な状態になる。その結果、後端クランプ３の第２クランプボルト３４が記録ドラム１のクランプ溝１１に固定されるとともに、第１駆動装置７を後端クランプ３から取り外すことができる。
【００５２】
上記と逆の動作により、後端クランプ３を記録ドラム１から取り外すとともに、後端クランプ３を第１駆動装置７に保持することができる。
【００５３】
図１１はクランプ駆動装置５の構成を示す側面図である。
【００５４】
クランプアーム駆動モータ５０にギア５１が取り付けられ、ギア５１はギア５２に噛み合っており、ギア５２に設けられた係合部５２ａがクランプアーム６の長孔６ａに係合している。クランプアーム駆動モータ５０が回転することにより、クランプアーム６が回転軸６１を中心として矢印Ｃの方向に揺動する。
【００５５】
また、クランプ駆動装置５には、スクイジー装置５３および第２駆動装置６２が設けられている。スクイジー装置５３は、スクイジー駆動モータ５４、ギア５５、揺動部材５６、粘着ローラ５７およびスクイジーローラ５８により構成される。スクイジー駆動モータ５４にギア５５が取り付けられ、ギア５５に揺動部材５６が歯合する。揺動部材５６はスクイジーローラ５８に取り付けられている。スクイジー駆動モータ５４が回転すると、ギア５５を介して揺動部材５６が揺動し、スクイジーローラ５８が記録ドラム１の外周面に圧着される。
【００５６】
第２駆動装置６２は、カム駆動モータ６３、ギア６４ａ，６４ｂ，６４ｃ，６４ｄおよびカム６５により構成される。カム駆動モータ６３にギア６４ａが取り付けられている。カム駆動モータ６３の回転力は、ギア６４ａ，６４ｂ，６４ｃを介してギア６４ｄに伝達される。ギア６４ｄにはカム６５が取り付けられている。
【００５７】
図１１に示すように、第１駆動装置７が記録ドラム１の外周面から離れた状態のクランプアーム６の位置を原点位置と呼び、第１駆動装置７が記録ドラム１の外周面に近接した状態のクランプアーム６の位置を終端位置と呼ぶ。
【００５８】
次に、図１１〜図１８を参照しながらクランプ駆動装置５の動作を説明する。  まず、図１１に示すように、記録ドラム１の外周面に取り付けられた先端クランプ２が第１駆動装置７の解除ピン７８の位置ｐ１に到達するまで記録ドラム１を回転させた後、記録ドラム１の回転を停止させる。クランプアーム６がクランプアーム駆動モータ５０により図１１に示す原点位置から図１２に示す終端位置まで揺動する。そして、第１駆動装置７が記録ドラム１の外周面に取り付けられた先端クランプ２に近づき、解除ピン７８が先端クランプ２の一方の側部を押圧する。
【００５９】
それにより、図１３に示すように、先端クランプ２の他方の側部と記録ドラム１の外周面との間に隙間が形成される。この状態で、図２の搬送ユニット９の第１の搬送路９１を通して刷版１００が搬入され、先端クランプ２の他方の側部と記録ドラム１の外周面との間の隙間に刷版１００の先端が挿入される。
【００６０】
その後、クランプアーム駆動モータ５０によりクランプアーム６が原点位置に戻り、第１駆動装置７が記録ドラム１の外周面から離れる。それにより、刷版１００の先端が先端クランプ２により記録ドラム１の外周面に固定される。
【００６１】
記録ドラム１を回転させつつ図２の搬送ユニット９により刷版１００を搬送し、図１４に示すように、先端クランプ２がスクイジーローラ５８を通過した位置ｐ２に到達したときに、スクイジー駆動モータ５４によりスクイジーローラ５８を記録ドラム１の外周面上の刷版１００に圧着させる。このとき、スクイジーローラ５８は、粘着ローラ５７にも接触する。記録ドラム１の回転により刷版１００の表面からスクイジーローラ５８の外周面にごみ等が転写され、スクイジーローラ５８に転写されたごみ等がさらに粘着ローラ５７に転写される。
【００６２】
その後、図１５に示すように、記録ドラム１の回転により刷版１００の後端が第１駆動装置７に保持された後端クランプ３の位置ｐ３に到達すると、記録ドラム１の回転を停止させる。この停止位置は供給される刷版１００のサイズによって異なる。本実施例では、記録ドラム１の周方向に形成された溝１１を利用して刷版１００を固定しているので、任意サイズの刷版１００を確実に記録ドラム１の外周面上に固定できる。
【００６３】
この状態で、図１６に示すように、クランプアーム駆動モータ５０によりクランプアーム６が終端位置まで揺動し、第１駆動装置７の保持ピン７６に保持された後端クランプ３が記録ドラム１上の刷版１００の後端を押さえる。この場合、図７（ａ）に示したように、後端クランプ３の第２クランプボルト３４が記録ドラム１のクランプ溝１１内に挿入され、クランプ本体３０の一方の側部により刷版１００が押圧される。
【００６４】
次に、図１０の第１駆動装置７のクランプボルト駆動モータ７１を回転させ、駆動ピン７５により後端クランプ３のクランプボルト連結板３１をスライドさせ、図７（ｂ）に示したように、第２クランプボルト３４を突出部３４ａで記録ドラム１のクランプ溝１１内に固定する。同時に、図１０の第１駆動装置７の保持ピン７６が後端クランプ３の保持孔４０の円形部分に移動し、後端クランプ３が第１駆動装置７から解除される。
【００６５】
その後、図１７に示すように、クランプアーム駆動モータ５０によりクランプアーム６が原点位置に復帰する。それにより、後端クランプ３が第１駆動装置７から取り外される。その結果、刷版１００の後端が後端クランプ３で記録ドラム１の外周面に固定される。このようにして、記録ドラム１の外周面に刷版１００が固定され、図１の記録ヘッド８により刷版１００に描画が行われる。
【００６６】
記録ヘッド８による刷版１００の描画が終了すると、記録ドラム１の回転により後端クランプ３を図１７に示した第１駆動装置７の保持ピン７６の位置ｐ３まで移動させた後、記録ドラム１の回転を停止させる。また、スクイジー駆動モータ５４によりスクイジーローラ５８を記録ドラム１の外周面上の刷版１００に圧着させる。そして、クランプアーム駆動モータ５０によりクランプアーム６が図１６に示した終端位置に揺動する。
【００６７】
図１０に示したように第１駆動装置７の駆動ピン７５が後端クランプ３の係合部材３２の係合孔３２ａに挿入されるとともに保持ピン７６が後端クランプ３の保持孔４０に挿入され、クランプボルト駆動モータ７１により駆動ピン７５がクランプボルト連結板３１とともにスライドし、第２クランプボルト３４が回動する。それにより、第２クランプボルト３４が記録ドラム１のクランプ溝１１から解除される。同時に、第１駆動装置７の保持ピン７６が後端クランプ３の保持孔４０の幅狭部分に移動する。それにより、後端クランプ３が第１駆動装置７により保持される。
【００６８】
この状態で、クランプアーム駆動モータ５０によりクランプアーム６が原点位置に揺動すると、図１５に示したように、後端クランプ３は第１駆動装置７により保持された状態で持ち上げられ、刷版１００の後端を開放する。
【００６９】
さらに、記録ドラム１が図１４の場合と逆の方向に回転しつつ刷版１００が図２の搬送ユニット９により搬出される。
【００７０】
図１８に示すように、記録ドラム１の回転により先端クランプ２がカム６５の位置ｐ４に到達すると、記録ドラム１の回転を停止させる。この状態で、カム駆動モータ６３によりカム６５が回転し、先端クランプ２の一方の側部を押圧する。それにより、刷版１００の先端が先端クランプ２から解放される。
【００７１】
また、スクイジー駆動モータ５４によりスクイジーローラ５８を記録ドラム１の外周面から離間させる。この場合、スクイジーローラ５８は粘着ローラ５７からも離間する。その後、刷版１００は搬送ユニット９の第２の搬送路９２を通して外部に搬出される。
【００７２】
図１９は後端クランプ３の他の例を示す断面図である。図１９に示すように、記録ドラム１に形成されたクランプ溝１１の一方の側面の上端には、内側に突出する内側縁部１３が設けられている。後端クランプ３の第２クランプボルト３４の外周面には一方の側方に突出する突出部３４ａが設けられている。図１９の後端クランプ３の他の部分の構成は、図６〜図８の後端クランプ３の構成と同様である。
【００７３】
図１９（ａ）に示すように、第２クランプボルト３４の突出部３４ａがクランプ溝１１と平行に位置する場合には、突出部３４ａがクランプ溝１１の内側縁部１３に係合しない。この場合、後端クランプ３を記録ドラム１から取り外すことができる。一方、図１９（ｂ）に示すように、第２クランプボルト３４の突出部３４ａが記録ドラム１のクランプ溝１１と垂直に位置する場合には、突出部３４ａがクランプ溝１１の内側縁部１３に係合する。それにより、後端クランプ３が記録ドラム１に固定される。
【００７４】
図１９の後端クランプ３を用いた場合には、図６〜図８の後端クランプ３を用いた場合と同様に、記録ドラム１の高速回転時にも、刷版１００の後端を記録ドラム１の外周面に確実に固定することができる。
【００７５】
図２０は後端クランプ３のさらに他の例を示す断面図である。図２０に示すように、記録ドラム１に形成されたクランプ溝１１は、矩形状の断面を有する。第２クランプボルト３４の下端には、楕円形の突出部３４ｂが設けられている。図２０の後端クランプ３の他の部分の構成は、図６〜図８の後端クランプ３の構成と同様である。
【００７６】
図２０（ａ）に示すように、第２クランプボルト３４の突出部３４ｂがクランプ溝１１と平行に位置する場合には、後端クランプ３を記録ドラム１から取り外すことができる。一方、図２０（ｂ）に示すように、第２クランプボルト３４の突出部３４ｂが記録ドラム１のクランプ溝１１と垂直に位置する場合には、突出部３４ｂの両端がクランプ溝１１の側面に押圧される。それにより、後端クランプ３が記録ドラム１に固定される。
【００７７】
図２０の後端クランプ３を用いた場合には、図６〜図８の後端クランプ３を用いた場合と同様に、記録ドラム１の高速回転時にも、刷版１００の後端を記録ドラム１の外周面に確実に固定することができる。
【００７８】
以上のように、本実施例の描画装置においては、先端クランプ２および後端クランプ３により任意の大きさの刷版１００を記録ドラム１の外周面上に確実に固定することができ、記録ドラム１の高速回転時にも刷版１００の位置ずれや外れが生じない。
【００７９】
また、クランプ駆動装置５の第１駆動装置７を用いて先端クランプ２による刷版１００の先端の固定および後端クランプ３による刷版１００の後端の固定および解除を容易に行うことができる。さらに、クランプ駆動装置５の第２駆動装置６２を用いて先端クランプ２の解除を容易に行うことができる。
【００８０】
また、スクイジー装置５３により刷版１００を記録ドラム１の外周面に均一に密着させることができるとともに、刷版１００の表面に付着したごみ等をスクイジーローラ５８を介して粘着ローラ５７に転写することができる。しかも、スクイジーローラ５８が記録ドラム１の外周面から離間しているときには、スクイジーローラ５８が粘着ローラ５７からも離間しているので、粘着ローラ５７に転写されたごみ等がスクイジーローラ５８に再び転写されることが防止される。
【００８１】
なお、本実施例では、記録ドラム１の外周面に、周方向に延びる溝によって後端クランプ３を固定したが、周方向に複数個形成された凹部であってもよい。
【図面の簡単な説明】
【００８２】
【図１】本発明の一実施例における描画装置の概略平面図である。
【図２】図１の描画装置の概略側面図である。
【図３】図１の描画装置における記録ドラムの斜視図である。
【図４】図１の描画装置における先端クランプの分解斜視図である。
【図５】図１の描画装置における先端クランプの側面図である。
【図６】図１の描画装置における後端クランプの分解斜視図である。
【図７】図１の描画装置における後端クランプの長手方向の一部断面図である。
【図８】図１の描画装置における後端クランプの幅方向の断面図である。
【図９】図１の描画装置の第１駆動装置に後端クランプを保持する前の状態の断面図および後端クランプの平面図である。
【図１０】図１の描画装置の第１駆動装置に後端クランプを保持した状態の断面図および後端クランプの平面図である。
【図１１】図１の描画装置におけるクランプ駆動装置の構成を示す側面図である。
【図１２】図１１のクランプ駆動装置の動作を示す側面図である。
【図１３】図１１のクランプ駆動装置の動作を示す側面図である。
【図１４】図１１のクランプ駆動装置の動作を示す側面図である。
【図１５】図１１のクランプ駆動装置の動作を示す側面図である。
【図１６】図１１のクランプ駆動装置の動作を示す側面図である。
【図１７】図１１のクランプ駆動装置の動作を示す側面図である。
【図１８】図１１のクランプ駆動装置の動作を示す側面図である。
【図１９】後端クランプの他の例を示す断面図である。
【図２０】後端クランプのさらに他の例を示す断面図である。
【図２１】従来の描画装置における記録ドラムの斜視図である。
【符号の説明】
【００８３】
１  記録ドラム
２  先端クランプ
３  後端クランプ
４  回転駆動装置
５  クランプ駆動装置
６，６００  クランプアーム
７  第１駆動装置
８  記録ヘッド
１１  クランプ溝
２０  クランプ本体
２１  回転軸
２２  軸受け
２４  金属ボール
２５  スプリング
２６  押さえゴム
３０  クランプ本体
３１  クランプボルト連結板
３２  係合部材
３２ａ  係合孔
３３  第１クランプボルト
３４  第２クランプボルト
３４ａ，３４ｂ  突出部
３６  板ばね
３７  スプリング
４０  保持孔
５３  スクイジー装置
５４  スクイジー駆動モータ
５７  粘着ローラ
５８  スクイジーローラ
６２  第２駆動装置
６３  カム駆動モータ
７０  駆動装置本体
７１  クランプボルト駆動モータ
７２  駆動部材
７５  駆動ピン
７６  保持ピン
７８  解除ピン
【図１】
2005126244.tif 000003
【図２】
2005126244.tif 000004
【図３】
2005126244.tif 000005
【図４】
2005126244.tif 000006
【図５】
2005126244.tif 000007
【図６】
2005126244.tif 000008
【図７】
2005126244.tif 000009
【図８】
2005126244.tif 000010
【図９】
2005126244.tif 000011
【図１０】
2005126244.tif 000012
【図１１】
2005126244.tif 000013
【図１２】
2005126244.tif 000014
【図１３】
2005126244.tif 000015
【図１４】
2005126244.tif 000016
【図１５】
2005126244.tif 000017
【図１６】
2005126244.tif 000018
【図１７】
2005126244.tif 000019
【図１８】
2005126244.tif 000020
【図１９】
2005126244.tif 000021
【図２０】
2005126244.tif 000022
【図２１】
2005126244.tif 000023